(57)【要約】【課題】サーバに保存している設定と、ネットワークカメラが実際に適用している設定の間に整合性がとれていない状況を回避するための技術を提供する。【解決手段】情報処理装置は、撮像装置に設定されている設定に関する第１の設定情報を、当該撮像装置から受信した情報に基づき取得する第１の取得手段と、前記撮像装置の設定情報を記憶する記憶手段から、前記撮像装置に対応する第２の設定情報を取得する第２の取得手段と、前記第１の設定情報と前記第２の設定情報とを比較する比較手段と、前記比較手段による比較の結果に応じた情報を通知する通知手段とを備える。【選択図】  図６
2017130892.tif 000002
【特許請求の範囲】
【請求項１】
撮像装置に設定されている設定に関する第１の設定情報を、当該撮像装置から受信した情報に基づき取得する第１の取得手段と、
前記撮像装置の設定情報を記憶する記憶手段から、前記撮像装置に対応する第２の設定情報を取得する第２の取得手段と、
前記第１の設定情報と前記第２の設定情報とを比較する比較手段と、
前記比較手段による比較の結果に応じた情報を通知する通知手段と
を備えることを特徴とする情報処理装置。
【請求項２】
前記通知手段は、前記第１の設定情報と前記第２の設定情報とが整合しない場合に、警告を通知することを特徴とする請求項１に記載の情報処理装置。
【請求項３】
前記記憶手段は、前記撮像装置の外部の記憶手段であることを特徴とする請求項１又は２に記載の情報処理装置。
【請求項４】
前記第１の取得手段は、前記撮像装置から受信した当該撮像装置の撮像画像を解析して前記第１の設定情報を取得することを特徴とする請求項１に記載の情報処理装置。
【請求項５】
新たな設定情報が入力されたことに応じて、前記記憶手段に記憶された設定情報を該新たな設定情報により更新する更新手段をさらに備えることを特徴とする請求項１から４のいずれか１項に記載の情報処理装置。
【請求項６】
前記新たな設定情報は、外部の装置から入力されることを特徴とする請求項５に記載の情報処理装置。
【請求項７】
前記更新手段によって、前記記憶手段に記憶された設定情報が前記新たな設定情報により更新された後に、当該撮像装置に対応する設定情報を前記記憶手段から取得する第３の取得手段と、
前記取得した設定情報を前記撮像装置へ送信する送信手段と
をさらに備えることを特徴とする請求項５又は６に記載の情報処理装置。
【請求項８】
前記第３の取得手段は、前記撮像装置から要求を受信したことに応じて、当該撮像装置に対応する設定情報を前記記憶手段から取得することを特徴とする請求項７に記載の情報処理装置。
【請求項９】
前記更新手段が前記設定情報を更新してから所定の時間が経過するまでは、
前記第２の取得手段は、前記第２の設定情報として、前記更新手段により更新された後の設定情報と、更新される前の設定情報とを取得し、
前記比較手段は、前記第１の設定情報と、前記更新された後の設定情報及び更新される前の設定情報とを比較し、
前記通知手段は、前記第１の設定情報が、前記更新された後の設定情報及び更新される前の設定情報のいずれとも整合しない場合に、警告を通知する
ことを特徴とする請求項８に記載の情報処理装置。
【請求項１０】
前記更新手段による前記設定情報の更新の内容に応じて前記所定の時間を決定する決定手段をさらに備えることを特徴とする請求項９に記載の情報処理装置。
【請求項１１】
前記撮像装置が前記要求を送信する間隔に応じて前記所定の時間を決定する決定手段をさらに備えることを特徴とする請求項９に記載の情報処理装置。
【請求項１２】
前記通知手段は、前記第１の設定情報と前記第２の設定情報とが整合しないことを示す情報を外部装置へ送信して、当該外部装置に警告を通知することを特徴とする請求項１から１１のいずれか１項に記載の情報処理装置。
【請求項１３】
撮像装置と、当該撮像装置の動作を管理する情報処理装置とを備える情報処理システムであって、
前記情報処理装置は、
前記撮像装置に設定されている設定に関する第１の設定情報を、当該撮像装置から受信した情報に基づき取得する第１の取得手段と、
前記撮像装置の設定情報を記憶する記憶手段から、前記撮像装置に対応する第２の設定情報を取得する第２の取得手段と、
前記第１の設定情報と前記第２の設定情報とを比較する比較手段と、
前記比較手段による比較の結果に応じた情報を通知する通知手段と
を備えることを特徴とする情報処理システム。
【請求項１４】
情報処理装置の情報処理方法であって、
第１の取得手段が、撮像装置に設定されている設定に関する第１の設定情報を、当該撮像装置から受信した情報に基づき取得する第１の取得工程と、
第２の取得手段が、前記撮像装置の設定情報を記憶する記憶手段から、前記撮像装置に対応する第２の設定情報を取得する第２の取得工程と、
比較手段が、前記第１の設定情報と前記第２の設定情報とを比較する比較工程と、
通知手段が、前記比較工程による比較の結果に応じた情報を通知する通知工程と
を備えることを特徴とする情報処理方法。
【請求項１５】
コンピュータを請求項１から１２のいずれか１項に記載の情報処理装置が備える各手段として機能させるためのコンピュータプログラム。
【発明の詳細な説明】
【技術分野】
【０００１】
本発明は情報処理装置及び情報処理方法、情報処理システム、コンピュータプログラムに関し、特に、ネットワークカメラからインターネットを経由してサーバに動画を保存する技術に関する。
【背景技術】
【０００２】
従来、ネットワークカメラからインターネットを経由して、サーバに動画を保存するシステムが知られている(例えば、特許文献１)。このようなシステムにおいては、ネットワークカメラは、フレームレート、解像度、画質といった動画設定に従って、サーバに動画を送信する。サーバでは、ネットワークカメラごとの動画設定に応じた容量のストレージを用意し、ネットワークカメラから送信される動画を受信して保存する。
【０００３】
また近年、クラウドコンピューティングの普及に伴い、このようなシステムをサービスとして公開する「クラウド録画サービス」が登場しつつある。ユーザはネットワークカメラの動画設定を決定し、当該動画設定に応じた容量のストレージの使用料をクラウド録画サービスの運営元に支払うことで、クラウド録画サービスを利用する。
【先行技術文献】
【特許文献】
【０００４】
【特許文献１】特開２００５−１６７５２４号公報
【発明の概要】
【発明が解決しようとする課題】
【０００５】
しかし、従来の構成においては、サーバに保存している動画設定と、ネットワークカメラが実際に適用している動画設定の間に整合性がとれていない場合に、以下のような問題があった。ネットワークカメラから動画データが、サーバに保存している動画設定よりもストレージの使用量が多い設定で送信される場合、想定以上にストレージを使用してしまう。そのため、運営元に無駄なコストが発生してしまうという課題があった。また、ネットワークカメラから動画データが、サーバに保存している動画設定よりもストレージの使用量が少ない設定で送信される場合、ストレージの容量が余ってしまう。そのため、ユーザに無駄なコストが発生してしまう問題があった。
【０００６】
本発明は上記課題に鑑みなされたものであり、サーバに保存している設定と、ネットワークカメラが実際に適用している設定の間に整合性がとれていない状況を回避するための技術を提供することを目的とする。
【課題を解決するための手段】
【０００７】
上記目的を達成するため、本発明による情報処理装置は以下の構成を備える。即ち、
撮像装置に設定されている設定に関する第１の設定情報を、当該撮像装置から受信した情報に基づき取得する第１の取得手段と、
前記撮像装置の設定情報を記憶する記憶手段から、前記撮像装置に対応する第２の設定情報を取得する第２の取得手段と、
前記第１の設定情報と前記第２の設定情報とを比較する比較手段と、
前記比較手段による比較の結果に応じた情報を通知する通知手段と
を備える。
【発明の効果】
【０００８】
本発明によれば、サーバに保存している設定と、ネットワークカメラが実際に適用している設定の間に整合性がとれていない状況を回避するための技術を提供することができる。
【図面の簡単な説明】
【０００９】
【図１】録画システムの構成例を示す図。
【図２】コンピュータ装置の構成例を示す図。
【図３】動画管理サーバ上で動作するソフトウェアの構成例を示す図。
【図４】サーバ保存動画設定を変更する処理を表すフローチャート。
【図５】ネットワークカメラに動画設定を適用する処理を表すフローチャート。
【図６】動画設定の整合性を確認する処理を表すフローチャート。
【図７】動画管理サーバ上で動作するソフトウェアの構成例を示す図。
【図８】サーバ保存動画設定を変更する処理を表すフローチャート。
【図９】動画設定確認方式復帰処理を表すフローチャート。
【図１０】ネットワークカメラの動画設定適用時間の一例を示す図。
【図１１】動画設定の整合性を確認する処理を表すフローチャート。
【発明を実施するための形態】
【００１０】
以下、添付図面を参照して本発明の実施の形態を詳細に説明する。
【００１１】
＜実施形態１＞
（システム構成）
図１は、本実施形態に係る録画システム（情報処理システム）の構成例を示す模式図である。この録画システムは、カメラ環境１０２に属するファイアウォール１０３及び複数のネットワークカメラ（撮像装置）１０４、並びに、動画管理サーバ１０５、クライアントＰＣ１０６、及び、運用者ＰＣ１０７を有している。カメラ環境１０２、動画管理サーバ１０５、クライアントＰＣ１０６、及び、運用者ＰＣ１０７は、ネットワーク１０１を介して接続されている。
【００１２】
カメラ環境１０２は、ファイアウォール１０３とネットワークカメラ１０４が属するローカルネットワーク環境である。ファイアウォール１０３は、カメラ環境１０２において外部との通信を制御することでセキュリティを高める情報処理装置である。ネットワークカメラ１０４は、動画を撮像し、ネットワーク経由で動画データを送信可能な撮像装置（カメラ）である。ネットワークカメラ１０４はネットワーク１０１を介して動画管理サーバ１０５へ動画データを送信する。
【００１３】
動画管理サーバ１０５は、ネットワークカメラ１０４から送信された動画データを受信して保存し、動画データを管理する情報処理装置である。また、動画管理サーバ１０５はクライアントＰＣ１０６からの要求を受け付け、クライアントＰＣ１０６へ動画データを送信する。このようにして、動画管理サーバ１０５は、ネットワークカメラ１０４の動作を管理する。クライアントＰＣ１０６は、ユーザからの指示を受け付けて、その指示に基づき動画管理サーバ１０５から動画データを取得する情報処理装置である。また、クライアントＰＣ１０６はユーザからの要求を受け付けて、その要求に基づき動画管理サーバ１０５へネットワークカメラ１０４の動画設定（設定を示す情報）を送信する。運用者ＰＣ１０７は、システムの運用者からの設定を受け付けて、ユーザの追加、削除や、ネットワークカメラの追加、削除といった、システムの運用を動画管理サーバ１０５に指示する情報処理装置である。
【００１４】
（ハードウェア構成）
次に、本実施形態に係るコンピュータ装置の構成を説明する。図２は、本実施形態における動画管理サーバ１０５、クライアントＰＣ１０６、及び運用者ＰＣ１０７の構成の一例を示すブロック図である。なお、動画管理サーバ１０５、クライアントＰＣ１０６、及び運用者ＰＣ１０７は必ずしも同一の構成である必要はない。
【００１５】
ＣＰＵ２０１は、ＲＡＭ２０２に格納されている制御プログラムに従って本装置全体の制御を行うＣＰＵ（Ｃｅｎｔｒａｌ  Ｐｒｏｃｅｓｓｉｎｇ  Ｕｎｉｔ、中央演算処理装置）である。ＲＡＭ２０２はＣＰＵ２０１が実行するプログラムや、文書画像等のデータを格納する主記憶装置であり、揮発性のＲＡＭ（Ｒａｎｄｏｍ  Ａｃｃｅｓｓ  Ｍｅｍｏｒｙ）メモリ（書込み可能メモリ）である。ネットワークインタフェース２０３は、ＣＰＵ２０１の制御の下にネットワークとの接続を行なって、外部装置との間でデータ等を送受信するネットワークインタフェースである。外部記憶装置２０４は処理対象のデータやＲＡＭ２０２に展開するためのプログラムを保存する磁気ディスクやフラッシュメモリ等の外部記憶装置であり、不揮発性のメモリである。ディスプレイ２０５は、本装置の処理結果などを表示するディスプレイである。キーボード２０６は、本装置に対してユーザが指示および操作するためのキーボードである。ポインティングデバイス２０７は、本装置に対してユーザが指示および操作を行うためのポインティングデバイスである。ディスプレイ２０５に表示する内容について、ユーザはキーボード２０６や、ポインティングデバイス２０７を用いて操作することができる。
【００１６】
ＲＡＭ２０２に格納されているプログラムを実行するＣＰＵ２０１は、ＲＡＭ２０２に格納されているＯＳ（Ｏｐｅｒａｔｉｎｇ  Ｓｙｓｔｅｍ）の機能の一部を必要に応じて呼び出して使用する。また、ＲＡＭ２０２に格納されているコンピュータプログラムに基づいて、ＣＰＵ２０１は、ＲＡＭ２０２に一時記憶するデータの内容の読み書きを行なったり、外部記憶装置２０４に対するデータの読み書きを行なったりする。さらに、ＲＡＭ２０２に格納されているコンピュータプログラムに基づき、ＣＰＵ２０１は、ネットワークインタフェース２０３を通じて他の装置とデータの送受信を行なうことも可能である。また、ＲＡＭ２０２に格納されているプログラムに基づいて、ＣＰＵ２０１は、キーボード２０６やポインティングデバイス２０７からの入力を受け取ったり、ディスプレイ２０５に表示を行なったりする。
【００１７】
（ソフトウェア構成）
図３は、本実施形態における動画管理サーバ１０５上で動作するソフトウェアの構成例である。当該ソフトウェアを構成する各コンポーネントは、動画管理サーバ１０５のＣＰＵ２０１がＲＡＭ２０２のプログラムコードを実行することによって実現される。
【００１８】
３０１は動画受信部であり、ネットワークカメラ１０４から送信される動画データを受信する。さらに動画受信部３０１は動画データを受信後、動画データを動画保存部３０６に保存する。
【００１９】
３０２は設定送受信部（動画設定送受信部）であり、クライアントＰＣ１０６から送信される動画設定を受信する。ここで、動画設定とは、例えばフレームレート、解像度、画質などである。さらに設定送受信部３０２は動画設定を受信後、動画設定を設定保存部（動画設定保存部）３０７に保存する。この設定保存部３０７はネットワークカメラの外部に存在する記憶手段である。また、設定送受信部３０２は、ネットワークカメラ１０４からの要求を受け付け、設定保存部３０７から動画設定を取得後、ネットワークカメラ１０４に動画設定を示す情報を送信する。このように、ネットワークカメラ１０４からの要求を受けてから動画設定を示す情報を送信するようにしている。つまり、ネットワークカメラ１０４からのプッシュ型で情報のやり取りを行うようにしている。このようにすることで、ネットワークカメラ１０４に不正にアクセスされることを防ぐことができる。ただし、新たな設定がユーザから入力されてから、その設定が実際にネットワークカメラ１０４に設定されるまで、多少の時間差が生じることもある。
【００２０】
３０３は動画解析部であり、動画受信部３０１で受信した動画データを解析し、ネットワークカメラが実際に適用している動画設定を取得する。以降、ネットワークカメラが実際に適用している動画設定のことを、特にカメラ適用動画設定と呼称する。このようにして、動画管理サーバ１０５は、管理対象のネットワークカメラ１０４に設定されている条件に関する設定情報を、当該ネットワークカメラ１０４から受信した情報に基づき取得する。なお、本実施形態では、ネットワークカメラ１０４から受信した当該ネットワークカメラ１０４の撮像画像を解析して設定情報を取得する例を説明するが、ネットワークカメラ１０４から設定情報を直接受信して取得してもよい。なお、撮像画像を解析して設定情報を取得すれば、仮にネットワークカメラ１０４が間違った設定情報を送ってきても対処することができる。
【００２１】
また、ネットワークカメラ１０４に設定されている条件は、例えば、撮像する際のフレームレートや解像度、露出、ズーム倍率、フォーカス位置等である。また、ネットワークカメラ１０４に設定されている条件は、撮像した映像を外部に送信する際のフレームレートや解像度である。条件は、これらの内の少なくとも１つであればよい。
【００２２】
３０４は設定確認部（動画設定確認部）であり、カメラ適用動画設定と、設定保存部３０７に保存されている動画設定とを比較し、異なるか否かを確認する。
【００２３】
３０５は警告通知部であり、クライアントＰＣ１０６に警告を通知する。
【００２４】
３０６は動画保存部であり、動画受信部３０１が受信した動画データを保存する。ここで、動画保存部３０６は動画データを送信したネットワークカメラ１０４を識別できる情報（以降当該情報をカメラＩＤと呼称する）と関連付けて保存する。
【００２５】
３０７はネットワークカメラ１０４ごとに設定情報を記憶する記憶手段としての設定保存部であり、設定送受信部３０２が受信した動画設定を保存する。ここで、設定保存部３０７はネットワークカメラ１０４の動画設定をカメラＩＤと関連付けて保存する。以降、設定保存部３０７に保存している動画設定のことを、特にサーバ保存動画設定と呼称する。なお、動画保存部３０６、及び設定保存部３０７は動画管理サーバ１０５の外部記憶装置２０４に設けられていればよい。後述するように、動画管理サーバ１０５は、設定保存部３０７から、管理対象のネットワークカメラ１０４に対応する設定情報を取得し、ネットワークカメラ１０４から受信した情報に基づき取得された設定情報と比較する。
【００２６】
３０８は動画再生部であり、クライアントＰＣ１０６の要求を受信して、動画保存部３０６から動画データを取得した後、動画を再生する。
【００２７】
本実施形態では、３０１〜３０７の各機能要素をソフトウェアにより実現する例を説明するが、これらの機能要素の一部又は全部を専用のハードウェアにより実現してもよい。
【００２８】
（動画設定変更）
次に、クライアントＰＣ１０６からネットワークカメラ１０４の動画設定を変更する処理について説明する。カメラ環境１０２はファイアウォール１０３によって外部からのアクセスを制限している。そのため、外部からカメラ環境１０２に属するネットワークカメラ１０４に対して動画設定を直接変更することはできず、ネットワークカメラ１０４から外部に対してポーリングすることで、動画設定を確認する必要がある。しかし、ネットワークカメラ１０４からアクセスできるのは動画管理サーバ１０５のみであり、ネットワークカメラ１０４がクライアントＰＣ１０６に直接アクセスすることはできない。そこで、クライアントＰＣ１０６から、動画管理サーバ１０５を経由してネットワークカメラ１０４の動画設定を変更する。すなわち、まずクライアントＰＣ１０６が、動画管理サーバ１０５に対してネットワークカメラ１０４の動画設定を送信し、動画管理サーバ１０５において当該動画設定を保存する。その後、ネットワークカメラ１０４が、動画管理サーバ１０５に対して自身の動画設定の取得を要求し、動画設定を受信後、当該動画設定を適用する。
【００２９】
図４は動画管理サーバ１０５のサーバ保存動画設定を変更する処理の流れを示すフローチャートである。動画管理サーバ１０５は、図４の手順従い、クライアントＰＣ１０６等から新たな設定情報が入力されたことに応じて、設定保存部３０７に記憶された設定情報をその新たな設定情報により更新する。図４のＳ４０１、Ｓ４０５はクライアントＰＣ１０６のＣＰＵ２０１の制御に基づき実行され、Ｓ４０２〜Ｓ４０４は動画管理サーバ１０５のＣＰＵ２０１の制御に基づき実行される。
【００３０】
Ｓ４０１では、クライアントＰＣ１０６が、動画管理サーバ１０５に対して、動画設定を変更するネットワークカメラ１０４のカメラＩＤと、動画設定を送信する。
【００３１】
Ｓ４０２では、動画管理サーバ１０５の設定送受信部３０２が、Ｓ４０２でクライアントＰＣから送信されたカメラＩＤと動画設定を受信する。
【００３２】
Ｓ４０３では、動画管理サーバ１０５の設定送受信部３０２が、Ｓ４０２で受信した動画設定を、カメラＩＤと関連付けて設定保存部３０７に保存する。
【００３３】
Ｓ４０４では、動画管理サーバ１０５の設定送受信部３０２が、クライアントＰＣ１０６に対して動画設定の受信通知を送信する。
【００３４】
Ｓ４０５では、クライアントＰＣ１０６が、Ｓ４０４で動画管理サーバから送信された動画設定の受信通知を受信する。
【００３５】
図５はネットワークカメラ１０４が動画管理サーバ１０５に保存されている動画設定を適用する処理の流れを示すフローチャートである。動画管理サーバ１０５は、図５の手順に従い、ネットワークカメラ１０４から要求を受信したことに応じて、当該ネットワークカメラ１０４に対応する設定情報を設定保存部３０７から取得し、その設定情報をネットワークカメラ１０４へ送信する。図５のＳ５０１、Ｓ５０５、Ｓ５０６はネットワークカメラ１０４の不図示のＣＰＵの制御に基づき実行され、Ｓ５０２〜Ｓ５０４は動画管理サーバ１０５のＣＰＵ２０１の制御に基づき実行される。なお、図５に示す処理は定期的に実行する。つまり、ネットワークカメラ１０４は定期的にポーリングして設定情報を取得する。
【００３６】
Ｓ５０１では、ネットワークカメラ１０４が、動画管理サーバ１０５へ自身のカメラＩＤと、動画設定取得要求を送信する。
【００３７】
Ｓ５０２では、動画管理サーバ１０５の設定送受信部３０２が、Ｓ５０１でネットワークカメラ１０４から送信されたカメラＩＤと、動画設定取得要求を受信する。
【００３８】
Ｓ５０３では、動画管理サーバ１０５の設定送受信部３０２が、Ｓ５０２で受信したカメラＩＤと関連付いているサーバ保存動画設定を設定保存部３０７から取得する。
【００３９】
Ｓ５０４では、動画管理サーバ１０５の設定送受信部３０２が、Ｓ５０３で取得したサーバ保存動画設定を、Ｓ５０１で動画設定取得要求を受信したネットワークカメラ１０４へ送信する。
【００４０】
Ｓ５０５では、ネットワークカメラ１０４が、Ｓ５０４で動画管理サーバから送信された動画設定を受信する。
【００４１】
Ｓ５０６では、ネットワークカメラ１０４が、Ｓ５０５で受信した動画設定を適用する。以降当該ネットワークカメラ１０４は、当該処理で適用した動画設定に基づき、動画管理サーバ１０５へ動画を送信する。
【００４２】
（動画設定の整合性の確認）
次に動画管理サーバ１０５における動画設定の整合性の確認処理について図６を用いて説明する。図６は、動画設定の整合性の確認処理の流れを示すフローチャートである。図６の各ステップは、動画管理サーバ１０５のＣＰＵ２０１の制御に基づき実行される。なお、図６に示す処理はネットワークカメラ１０４が動画管理サーバ１０５へ動画データを送信するたびに実行する。
【００４３】
Ｓ６０１では、動画受信部３０１が、ネットワークカメラ１０４から送信された動画データを受信する。
【００４４】
Ｓ６０２では、動画解析部３０３が、Ｓ６０１で受信した動画データを解析し、カメラ適用動画設定を取得する。動画データのヘッダにカメラ適用動画設定が記述されている場合、本ステップの処理は当該動画データのヘッダを読み込むことで実現できる。なお、動画データのヘッダにカメラ適用動画設定が記述されていない場合であっても、動画データそのものからカメラ適用動画設定を導出するようにしてもよい。例えば、動画データのヘッダに動画データの時間が記述されている場合、（動画データの画像の枚数）／（動画データの時間）を計算してフレームレートを導出してもよい。また、動画データに含まれる画像データを解析し、動画の解像度を導出するようにしてもよい。
【００４５】
Ｓ６０３では、設定確認部３０４が、ネットワークカメラ１０４のカメラＩＤと、当該カメラＩＤに関連付いているサーバ保存動画設定を設定保存部３０７から取得する。
【００４６】
Ｓ６０４では、設定確認部３０４が、最新のサーバ保存動画設定と、カメラ適用動画設定を比較して異なるか否かを判断する。二つの設定が異なると判断した場合（Ｓ６０４でＹＥＳ）にはＳ６０５に進む。二つの設定が等しいと判断した場合（Ｓ６０４でＮＯ）には、動画設定の整合性の確認処理を終了する。
【００４７】
Ｓ６０５では、警告通知部３０５が、サーバ保存動画設定とカメラ適用動画設定が異なる旨を、クライアントＰＣ１０６に警告として通知する。なお、ここでクライアントＰＣ１０６に警告を通知する例を示したが、運用者ＰＣ１０７にも警告を通知するようにしてもよい。なお、警告を通知されたクライアントＰＣ１０６等は、その旨をモニタに表示したり音声を出力したりして、ユーザに知らせることができる。
【００４８】
以上説明したように、本実施形態によればサーバ保存動画設定と、カメラ適用動画設定との間に整合性がとれていない場合、クライアントＰＣに警告を通知する。従って、動画管理サーバが保存している動画設定と、カメラ適用動画設定との間に整合性がとれていない問題を抑制することができる。
【００４９】
なお、本実施形態では、ネットワークカメラ１０４から取得した設定情報と、設定保存部３０７に保存部に保存されている設定情報とが一致しない場合に両者は整合しないと判定したが、整合性の判定方式はこれに限られない。例えば、画像サイズやフレームレート等について、両者の相違が一定の範囲にあるならば整合すると判定してもよい。あるいは、画像サイズやフレームレート等が異なる場合であっても、データサイズが同一または近接しているならば、両者は整合すると判定してもよい。
【００５０】
また、本実施形態では、ネットワークカメラ１０４から取得した設定情報と、設定保存部３０７に保存部に保存されている設定情報とが整合しない場合に、その旨を示す情報を外部装置であるクライアントＰＣ１０６へ送信して警告を通知する例を説明した。もっとも、警告の通知の方式はこれに限られず、例えば、動画管理サーバ１０５のモニタ（不図示）に警告を表示してもよい。また、本実施形態では、新たな設定情報が、外部の装置であるクライアントＰＣ１０６から受信して入力される例を説明したが、動画管理サーバ１０５に直接入力するようにしてもよい。
【００５１】
＜実施形態２＞
実施形態１では、動画管理サーバ１０５がサーバ保存動画設定とカメラ適用動画設定との間の整合性を確認し、整合性がとれていない場合はクライアントＰＣ１０６に警告を通知する例を示した。しかしながら、ネットワークカメラ１０４は動画管理サーバ１０５に常に動画データを送信している一方で、動画管理サーバ１０５から動画設定を一定間隔で取得し適用している。このため、動画管理サーバ１０５がサーバ保存動画設定を変更してから、ネットワークカメラ１０４が変更されたサーバ保存動画設定を取得し適用するまでの期間は、サーバ保存動画設定とカメラ適用動画設定との間に整合性がとれていないことになる。その結果、当該期間において、動画管理サーバ１０５においては正常に動画設定を変更しているにもかかわらず、動画管理サーバ１０５からクライアントＰＣ１０６に警告を通知してしまう場合がある。
【００５２】
そこで本実施形態では、動画管理サーバ１０５がサーバ保存動画設定を変更してから一定期間は、サーバ保存動画設定とカメラ適用動画設定との間の整合性の確認手順を変更する。なお、本実施形態では、実施形態１と同一機能を有する構成やステップには同一符号を付すとともに、構成的、機能的に変わらないものについてはその説明を省略する。また以降、動画管理サーバ１０５がサーバ保存動画設定を変更してから、ネットワークカメラ１０４が動画設定を取得するまでの時間を「動画設定取得時間」と称呼する。同様にネットワークカメラ１０４が動画設定を取得してから当該動画設定を適用するまでの時間を「動画設定適用時間」と称呼する。
【００５３】
（ソフトウェア構成）
図７は、本実施形態における動画管理サーバ１０５上で動作するソフトウェアの構成例である。図３からの変更点は管理部（動画設定確認方式管理部）７０１、及び時間保存部（動画設定適用時間保存部）７０２が追加されている点である。なお当該ソフトウェアを構成する各コンポーネントは、動画管理サーバ１０５のＣＰＵ２０１がＲＡＭ２０２のプログラムコードを実行することによって実現される。
【００５４】
７０１は管理部であり、設定確認部３０４において使用する動画設定の確認方式を管理する。７０２は時間保存部であり、ネットワークカメラ１０４が動画設定を取得した後、当該設定を適用するまでにかかる時間（動画設定適用時間）を保存する。
【００５５】
本実施形態では、３０１〜３０７、７０１、７０２の各機能要素をソフトウェアにより実現する例を説明するが、実施形態１と同様に、これらの機能要素の一部又は全部を専用のハードウェアにより実現してもよい。
【００５６】
（動画設定変更）
図８は本実施形態における、動画管理サーバ１０５がサーバ保存動画設定を変更する処理の流れを示すフローチャートである。図４のフローからの変更点は、Ｓ８０１及びＳ８０２の処理を追加で実行することである。また、Ｓ４０３の処理において、動画管理サーバ１０５がＳ４０２で受信した動画設定を設定保存部３０７に保存すると同時に、それまでに保存されていた動画設定を一つ前の動画設定として設定保存部３０７に保存する処理を実行することも変更点である。図８のＳ４０１、Ｓ４０５はクライアントＰＣ１０６のＣＰＵ２０１の制御に基づき実行され、Ｓ４０２〜Ｓ４０４、Ｓ８０１、Ｓ８０２は動画管理サーバ１０５のＣＰＵ２０１の制御に基づき実行される。
【００５７】
Ｓ８０１は動画管理サーバ１０５の管理部７０１が、動画設定変更中フラグをｏｎにする処理である。動画設定変更中フラグとは、ｏｆｆであれば動画設定の変更中ではないことを示し、ｏｎであれば動画設定の変更中であることを示すフラグである。管理部７０１は動画設定変更中フラグを保持しており、動画設定変更中フラグの初期値はｏｆｆに設定されている。
【００５８】
Ｓ８０２は動画管理サーバ１０５の管理部７０１が、サブルーチンとしての「復帰処理」を呼び出す処理である。サブルーチンとしての「復帰処理」の詳細な説明は図９を用いて後述する。なお、本ステップの処理は非同期で実行する。すなわち、本ステップの処理の完了を待たずにＳ４０４に進む。
【００５９】
図９はＳ８０２で示した復帰処理（動画設定確認方式復帰処理）を表すフローチャートである。Ｓ９０１は管理部７０１が、動画設定確認方式復帰までの時間を決定する処理である。Ｓ９０１の処理の詳細については後述する。Ｓ９０２は管理部７０１が、Ｓ９０１で決定した時間の間待つ処理である。Ｓ９０３は管理部７０１が、動画設定変更中フラグをｏｆｆにする処理である。
【００６０】
次に、Ｓ９０１の処理について一例をあげて説明する。この例では動画設定確認方式復帰までの時間を、動画管理サーバ１０５がサーバ保存動画設定を変更してから、ネットワークカメラ１０４が取得し適用するまでにかかる最長の時間とする。すなわち、動画設定確認方式復帰までの時間は、（最長の動画設定取得時間）＋（動画設定適用時間）で求めることができる。まず、最長の動画設定取得時間を求める。これはネットワークカメラ１０４がサーバ保存動画設定を取得した直後に、サーバ保存動画設定が変更される場合の時間である。すなわち、ネットワークカメラ１０４がサーバ保存動画設定を取得する間隔の時間となる。例えば、ネットワークカメラ１０４がサーバ保存動画設定を取得する間隔が６０秒であるとする。次に、動画設定適用時間を求める。図１０は時間保存部７０２に保存されているネットワークカメラ１０４の動画設定適用時間の一例である。動画設定適用時間は動画設定変更内容ごとに保存されている。例えば、動画変更内容が「動画サイズ変更」である場合は、動画設定適用時間が３０秒であると取得できる。以上より、動画変更内容が「動画サイズ変更」の場合の動画設定確認方式復帰までの時間は、６０秒＋３０秒＝９０秒と求めることができる。
【００６１】
（動画設定の整合性の確認）
図１１は本実施形態における、動画管理サーバ１０５が動画設定の整合性を確認する処理である。図６のフローからの変更点は、Ｓ１１０１からＳ１１０３の処理を追加で実行する点である。
【００６２】
Ｓ１１０１は設定確認部３０４が、動画設定変更中フラグを確認する処理である。動画設定変更中フラグがｏｎであればＳ１１０２に進む。動画設定変更中フラグがｏｆｆであればＳ６０４に進む。
【００６３】
Ｓ１１０２は設定確認部３０４が、最新、または一つ前のサーバ保存動画設定と、カメラ適用動画設定を比較して異なるか否かを判断する処理である。ここで、一つ前のサーバ保存動画設定を比較対象とする理由は、動画設定変更中フラグがｏｎになっている場合は、ネットワークカメラ１０４が一つ前のサーバ保存動画設定を適用した状態で動画を送信する可能性があるためである。二つの設定が異なると判断した場合（Ｓ１１０２でＹＥＳ）にはＳ１１０３に進む。二つの設定が等しいと判断した場合（Ｓ１１０２でＮＯ）には、動画設定の整合性の確認処理を終了する。
【００６４】
Ｓ１１０３は設定確認部３０４が、サーバ保存動画設定とカメラ適用動画設定が異なる旨を、クライアントＰＣ１０６に警告として通知する処理である。なお、ここでクライアントＰＣ１０６に警告を通知する例を示したが、運用者ＰＣ１０７にも警告を通知するようにしてもよい。
【００６５】
以上のように、本実施形態では、設定保存部３０７の設定情報を更新してから所定の時間が経過するまでは、動画管理サーバ１０５は、ネットワークカメラ１０４から取得された設定情報と、更新された後の設定情報及び更新される前の設定情報とを比較する。そして、ネットワークカメラ１０４から取得した設定情報が、設定保存部３０７において更新された後の設定情報及び更新される前の設定情報のいずれとも整合しない場合に、警告を通知する。ここで、設定情報の更新の内容や、ネットワークカメラ１０４が設定情報の要求を送信する間隔に応じて動画設定確認方式復帰までの時間を決定する。このため、動画管理サーバがサーバ保存動画設定を変更してから、ネットワークカメラが取得し提供するまでの期間の不要な警告を抑制できる。
【００６６】
以上のように、本発明の各実施形態によれば、サーバに保存している動画設定と、ネットワークカメラが実際に適用している動画設定の間に整合性がとれていない場合に警告を通知する。このため、動画設定の不整合に起因する問題を低減することが可能となる。
【００６７】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６８】
１０１：ネットワーク、１０２：カメラ環境、１０３：ファイアウォール、１０４：ネットワークカメラ、１０５：動画管理サーバ、１０６：クライアントＰＣ、１０７：運用者ＰＣ
【図１】
2017130892.tif 000003
【図２】
2017130892.tif 000004
【図３】
2017130892.tif 000005
【図４】
2017130892.tif 000006
【図５】
2017130892.tif 000007
【図６】
2017130892.tif 000008
【図７】
2017130892.tif 000009
【図８】
2017130892.tif 000010
【図９】
2017130892.tif 000011
【図１０】
2017130892.tif 000012
【図１１】
2017130892.tif 000013